(57)【要約】【課題】収容物の確認用見出し部の構造を簡単にし、見出し片の取付、交換を容易にし、かつシンプル性を損なうことなくキー操作によって全ての引出をロックするオールロック機構を有するキャビネットを提供する。【解決手段】キャビネット本体１０と、キャビネット本体に複数段に配設される複数個の透明合成樹脂製のトレー２０と、キー操作によって上下動する操作ロッド３３に突設された係止部材３４を係止させて全てのトレーをロックするオールロック機構３０と、を有するキャビネットにおいて、各トレーは、側壁２３に係止部材と係脱可能に係合する上向きに開放する係止溝２４を設け、前壁２２の上端に前方に向かって円弧状に傾斜する取手２５を設けると共に、取手の裏面に沿って設けられ、前壁の上端に挿入口２６ａを有するラベル挿入室２６を形成し、ラベル挿入室の挿入口側の前壁上端及び前壁上端に連なるラベル挿入室の底部に指掛け用凹所２７を形成する。【選択図】  図３
2010035959.tif 000002
【特許請求の範囲】
【請求項１】
キャビネット本体と、このキャビネット本体に上下複数段に配設される複数個の透明合成樹脂製の引出と、キー操作によって上下動する操作ロッドに突設された係止部材を係止させて全ての上記引出をロックするオールロック機構と、を有するキャビネットであって、
上記各引出は、この引出の側壁に上記係止部材と係脱可能に係合する上向きに開放する係止溝を設け、前壁の上端に前方に向かって円弧状に傾斜する取手を設けると共に、この取手の裏面に沿って設けられ、上記前壁の上端に挿入口を有する見出し片用挿入室を形成し、かつ、上記挿入室の挿入口側の上記前壁上端及びこの前壁上端に連なる挿入室の底部に指掛け用凹所を形成してなる、ことを特徴とするキャビネット。
【請求項２】
請求項１記載のキャビネットにおいて、
上記複数個の引出を複数列設け、隣接する列間に上記オールロック機構の操作ロッドを配設すると共に、上記操作ロッドの両側に係止部材を突設し、上記各引出は、この引出の両側壁の対向する部位に上記係止溝を設けてなる、ことを特徴とするキャビネット。
【請求項３】
請求項１又は２記載のキャビネットにおいて、
上記キャビネット本体の天板に、最上段の引出内に書類の収容を可能にする挿入用スリットを形成してなる、ことを特徴とするキャビネット。
【発明の詳細な説明】
【技術分野】
【０００１】
この発明はキャビネットに関するもので、更に詳細には、キャビネット本体に上下複数段の複数個の透明合成樹脂製の引出と、キー操作によって上下動する操作ロッドに突設された係止部材を係止させて全ての引出をロックするオールロック機構と、を有するキャビネットに関するものである。
【背景技術】
【０００２】
一般に、この種のキャビネットとして、キャビネット本体に多段に配設される透明合成樹脂製の複数の引出を有するシンプルなクリアトレーキャビネットが使用されている。このキャビネットにおいては、引出前面に見出し（インデックス）を設けることにより、引出内の収容物の内容を確認することができる。
【０００３】
従来のインデックス構造として、透明の見出し板の上縁及び下縁にそれぞれ爪、傾斜係合片を設けた透明カバーと、爪をスライド可能に挟持される取手を有する引出とからなる構造が知られている(例えば、特許文献１参照)。
【０００４】
特許文献１に記載のものにおいては、引出にインデックス構造を組み付けるには、見出し片であるラベルを湾曲状となるように撓ませた状態で透明カバーの内側に嵌め込み、撓みを解除してラベルの上・下縁を爪及び係合片の内側に弾性的に固定した後、透明カバーの爪を取手のスライド溝に上方から差込み、係合片を取手の下縁に押し込むことによって透明カバーを組み付けている。
【０００５】
また、一般に、キャビネット本体に複数段の引出を配設したキャビネットにおいて、複数の引出を一つの錠前により一挙にロックするオールロック機構を備えたものが知られている（例えば、特許文献２参照）。
【０００６】
上記オールロック機構は、キー操作によって上下動する操作ロッドに突設された係止部材と引出に付設された係合部とが係合して、一つのキー操作によって全ての引出をロックする構造である。
【特許文献１】特開２００２−１７４９０号公報（特許請求の範囲、図１，図３）
【特許文献２】特開平１０−１５９４２２号公報（特許請求の範囲、段落０００９、図４）
【発明の開示】
【発明が解決しようとする課題】
【０００７】
しかしながら、特許文献１に記載のものにおいては、ラベルを透明カバーの内側に固定した後、透明カバーの爪を取手のスライド溝に差込み、係合片を取手の下縁に押し込むことによって透明カバー及びラベルを組み付ける構造であるため、構造が複雑な上、ラベルの組み付けに手間を要するという問題があった。
【０００８】
また、従来のオールロック機構は、特許文献２に代表されるように、スチール等の金属製のキャビネットに備えられるものが殆どであり、オールロック機構の一部を構成する引出側の係合部は、強度を有する必要があるため引出の側壁外面に付設される部材によって形成されている。したがって、合成樹脂製の引出を有するクリアトレーキャビネットにオールロック機構を組み込むためには、クリアトレーキャビネットの有するシンプル性を損なわないように工夫する必要がある。
【０００９】
この発明は、上記事情に鑑みてなされたもので、収容物の確認用の見出し部の構造を簡単にすると共に、見出し片の取付、交換を容易にし、かつシンプル性を損なうことなくキー操作によって全ての引出をロックするオールロック機構を組み込むキャビネットを提供することを課題とするものである。
【課題を解決するための手段】
【００１０】
上記課題を解決するために、この発明のキャビネットは、キャビネット本体と、このキャビネット本体に上下複数段に配設される複数個の透明合成樹脂製の引出と、キー操作によって上下動する操作ロッドに突設された係止部材を係止させて全ての上記引出をロックするオールロック機構と、を有するキャビネットであって、  上記各引出は、この引出の側壁に上記係止部材と係脱可能に係合する上向きに開放する係止溝を設け、前壁の上端に前方に向かって円弧状に傾斜する取手を設けると共に、この取手の裏面に沿って設けられ、上記前壁の上端に挿入口を有する見出し片用挿入室を形成し、かつ、上記挿入室の挿入口側の上記前壁上端及びこの前壁上端に連なる挿入室の底部に指掛け用凹所を形成してなる、ことを特徴とする（請求項１）。
【００１１】
このように構成することにより、オールロック機構の操作ロッドに突設された係止部材と係合する係合部を、引出の側壁に設けた上向きに開放する係止溝にて形成することができる。また、前壁の上端に前方に向かって円弧状に傾斜する取手の裏面に沿って前壁の上端に挿入口を有する見出し片用挿入室を形成し、挿入室の挿入口側の前壁上端及びこの前壁上端に連なる挿入室の底部に指掛け用凹所を形成することにより、見出し部を引出の取手に一体に形成することができ、かつ見出し片の挿入室内への挿入（取付）及び取り出しを容易にすることができる。
【００１２】
この発明において、上記複数個の引出を複数列設ける場合は、隣接する列間に上記オールロック機構の操作ロッドを配設すると共に、上記操作ロッドの両側に係止部材を突設し、上記各引出は、この引出の両側壁の対向する部位に上記係止溝を設ける方が好ましい（請求項２）。
【００１３】
このように構成することにより、一つのキー操作によって左右に隣接する２列の複数段の引出を同時にロックすることができる。
【００１４】
また、この発明において、上記キャビネット本体の天板に、最上段の引出内に書類の収容を可能にする挿入用スリットを形成するようにしてもよい（請求項３）。
【００１５】
このように構成することにより、天板に設けられた挿入用スリットを介して書類等を最上段の引出に収容することができる。
【発明の効果】
【００１６】
この発明の避難装置は、上記のように構成されているので、以下のような効果が得られる。
【００１７】
（１）請求項１記載の発明によれば、オールロック機構の一部を、引出の側壁に設けた上向きに開放する係止溝にて形成することができるので、キャビネットのシンプル性を維持しつつオールロック機構を組み込むことができる。また、見出し部を引出の取手に一体に形成することができるので、構造を簡単にすることができ、かつ見出し片の挿入室内への挿入（取付）及び取り出しを容易にすることができる。
【００１８】
（２）請求項２記載の発明によれば、上記（１）に加えて、更に一つのキー操作によって左右に隣接する２列の複数段の引出を同時にロックすることができる。
【００１９】
（３）請求項３記載の発明によれば、挿入用スリットを介して書類等を最上段の引出に収容することができるので、各引出がオールロック状態におかれた状態においても、重要な書類等を引出内に収容することができる。
【発明を実施するための最良の形態】
【００２０】
以下に、この発明の最良の実施形態を添付図面に基づいて詳細に説明する。
【００２１】
＜第１実施形態＞
図１は、この発明に係るキャビネットの第１実施形態を示す斜視図、図２は、引出を引き出した状態を示す斜視図、図３は、引出の一部を断面で示す斜視図（ａ）、引出の取手を示す拡大断面図（ｂ）及び取手の裏面側の一部を示す断面斜視図（ｃ）である。
【００２２】
上記キャビネット１は、キャビネット本体１０と、キャビネット本体１０に上下複数段に配設される複数個（図面では９個の場合を示す）の透明合成樹脂製の引出２０（以下にトレー２０という）と、全てのトレー２０をロックするオールロック機構３０と、を具備しており、各トレー２０には収容物の内容を確認可能にする見出し部２１が設けられている。
【００２３】
各トレー２０は、図１ないし図３に示すように、前壁２２の上端に前方に向かって円弧状に傾斜する取手２５が設けられている。この場合、取手２５の一部例えば、正面視右側端部には見出し部２１が設けられている。
【００２４】
上記見出し部２１は、図３に示すように、取手２５の裏面に沿って設けられ、前壁２２の上端に挿入口２６ａを有する見出し片（ラベル）用の挿入室２６（以下にラベル挿入室２６という）にて形成されている。また、ラベル挿入室２６の挿入口２６ａ側の前壁２２の上端及びこの前壁上端に連なるラベル挿入室２６の底部２６ｂに指掛け用凹所２７が形成されている。この場合、指掛け用凹所２７は、図３（ｃ）に示すように、２方向の先端側すなわち前壁２２の下方側及び底部２６ｂの先端側が円弧状に形成されており、上記ラベル挿入室２６への見出し片であるラベル５０の挿入及び取り出しを容易に行えるようになっている。なお、ラベル挿入室２６を形成するには、トレー２０の成形時に取手２５に連ねて底部２６ｂを段状に形成した後、底部２６ｂの開放側に透明合成樹脂製の蓋部材２６ｃを圧入嵌挿してラベル挿入室２６を形成することができる（図３（ｃ）参照）。
【００２５】
また、トレー２０の手前側の両側壁２３には、オールロック機構３０の係止部材３４と係脱可能に係合する上向きに開放する係止溝２４が設けられている。この場合、係止溝２４は拡開テーパ状例えばＶ字状に形成されており、係止溝２４に対する係止部材３４の係合・離脱を容易にしている。つまり、トレー２０の閉止位置が多少ずれても係止部材３４が係止溝２４に確実に係合し得るようになっている。
【００２６】
上記オールロック機構３０は、図４及び図５に示すように、例えばシリンダ錠にて形成される錠前３１と、この錠前３１のキー３２の施錠・解錠操作によって上下動する操作ロッド３３と、操作ロッド３３に各段のトレー２０の高さに合わせたピッチ間隔で突設される係止部材３４とで主に構成されている。
【００２７】
この場合、錠前３１には、キー３２の操作によって回転する回転軸３５と、施錠用突起３６ａと解錠用突起３６ｂを９０度の間隔で突設し、回転軸３５上に嵌着される切換部材３６が設けられている。また、操作ロッド３３は、基片３３ａの両端に折曲片３３ｂを有するチャンネル部材にて形成されており、基片３３ａの上端には施錠用突起３６ａが係合可能になっており、基片３３ａの上端側の近接位置には解錠用突起３６ｂが係脱可能な縦長のスリット３３ｃが穿設されている。また、係止部材３４は、水平の係止片３４ａと垂直の固定片３４ｂとからなるアングル部材にて形成されており、固定片３４ｂが操作ロッド３３の基片３３ａにねじやリベット等の固定部材（図示せず）によって固定されている。
【００２８】
上記のように構成されるオールロック機構３０において、キー３２を錠前３１に差し込んで反時計方向に回転すると、回転軸３５の回動に伴って解錠用突起３６ｂが反時計方向に９０度回動して操作ロッド３３のスリット３３ｃに係合し、操作ロッド３３を上方へ移動する。この操作ロッド３３の上方への移動に伴って係止部材３４も上方へ移動し、係止溝２４と係止片３４ａの係合が解除され、オールロック状態の全てのトレー２０が解錠される（図５（ａ）参照）。
【００２９】
また、キー３２を時計方向に回転すると、回転軸３５の回動に伴って解錠用突起３６ｂが時計方向に９０度回動して操作ロッド３３のスリット３３ｃから離脱する一方、施錠用突起３６ａが時計方向に９０度回動して操作ロッド３３の基片３３ａの上端に係合して操作ロッド３３を下方へ移動する。この操作ロッド３３の下方への移動に伴って係止部材３４も下方へ移動し、係止片３４ａが係止溝２４に係合され、全てのトレー２０が施錠すなわちオールロックされる（図５（ｂ）参照）。
【００３０】
また、この実施形態においては、図１，図２及び図６に示すように、キャビネット本体１０の天板１１における正面側には、最上段のトレー２０内に書類６０の収容を可能にする挿入用スリット１２が形成されている。このように、キャビネット本体１０の天板１１に挿入用スリット１２を形成することにより、全てのトレー２０がオールロック状態にあっても、天板１１に設けられた挿入用スリット１２を介して書類６０を最上段のトレー２０内に収容することができる。したがって、重要な書類等をトレー２０内に収容することで、紛失の事態を免れることができる。
【００３１】
＜第２実施形態＞
図７は、この発明に係るキャビネットの第２実施形態を示す斜視図、図８は、第２実施形態におけるオールロック状態を示す断面図である。
【００３２】
第２実施形態は、キャビネット本体１０Ａに、複数個例えば９個のトレー２０を２列に配設したキャビネット１Ａに関するもので、隣接する両列のトレー２０を同時に施錠・解錠するオールロック機構３０Ａを具備した場合である。
【００３３】
この場合、隣接する列間に配設されるオールロック機構３０Ａは、図８及び図９に示すように、錠前３１と、この錠前３１のキー３２の施錠・解錠操作によって上下動する操作ロッド３３Ａと、操作ロッド３３Ａの対向部位に各段のトレー２０の高さに合わせたピッチ間隔で突設される係止部材３４とで主に構成されている。
【００３４】
上記錠前３１は第１実施形態と同様であり、キー３２の操作によって回転する回転軸３５と、施錠用突起３６ａと解錠用突起３６ｂを９０度の間隔で突設し、回転軸３５上に嵌着される切換部材３６が設けられている。第２実施形態の操作ロッド３３Ａは、４辺すなわち４つの側片を有する中空矩形状の部材にて形成されており、その一辺の側片３３ｄの上端には施錠用突起３６ａが係合可能になっており、側片３３ｄの上端側の近接位置には解錠用突起３６ｂが係脱可能な縦長のスリット３３ｃが穿設されている。また、係止部材３４は、第１実施形態と同様に、水平の係止片３４ａと垂直の固定片３４ｂとからなるアングル部材にて形成されており、固定片３４ｂが操作ロッド３３の対向する２つの側片３３ｄ，３３ｅにねじやリベット等の固定部材（図示せず）によって固定されている。
【００３５】
上記のように構成されるオールロック機構３０Ａにおいて、キー３２を錠前３１に差し込んで反時計方向に回転すると、回転軸３５の回動に伴って解錠用突起３６ｂが反時計方向に９０度回動して操作ロッド３３Ａのスリット３３ｃに係合し、操作ロッド３３Ａを上方へ移動する。操作ロッド３３Ａの上方への移動に伴って係止部材３４も上方へ移動し、係止溝２４と係止片３４ａの係合が解除され、オールロック状態にあった２列の全てのトレー２０が解錠される（図９（ａ）参照）。
【００３６】
また、キー３２を時計方向に回転すると、回転軸３５の回動に伴って解錠用突起３６ｂが時計方向に９０度回動して操作ロッド３３Ａのスリット３３ｃから離脱する一方、施錠用突起３６ａが時計方向に９０度回動して操作ロッド３３Ａの側片３３ｄの上端に係合して操作ロッド３３Ａを下方へ移動する。この操作ロッド３３Ａの下方への移動に伴って係止部材３４も下方へ移動し、係止片３４ａが係止溝２４に係合され、２列の全てのトレー２０が施錠すなわちオールロックされる（図９（ｂ）参照）。これにより、一つのキー操作によって左右に隣接する２列の複数段のトレー２０を同時にロック（施錠）することができると共に、アンロック（解錠）することができる。
【００３７】
なお、第２実施形態においては、キャビネット本体１０Ａの天板１１Ａの正面側に、各列のトレー２０に書類挿入用のスリット１２ａ，１２ｂが形成されている。これにより、全てのトレー２０がオールロック状態にあっても、天板１１Ａに設けられた挿入用スリット１２ａ，１２ｂを介して書類６０を最上段のトレー２０内に収容することができる。
【００３８】
なお、第２実施形態において、その他の部分は第１実施形態と同じであるので、同一部分には同一符号を付して説明は省略する。
【００３９】
＜その他の実施形態＞
上記実施形態では、上記実施形態では、トレー２０の取手２５に設けられる見出し部２１が取手２５の端部に設けられる場合について説明したが、見出し部２１を取手２５の中央部に設けてもよく、あるいは、取手２５の全域に渡って設けるようにしてもよい。
【００４０】
また、上記実施形態では、トレー２０に設けられた係止溝２４が上方に向かって拡開テーパ状のＶ字状溝にて形成した場合について説明したが、係止溝２４は必ずしもＶ字状である必要はなく、その他の形状の溝であってもよい。
【図面の簡単な説明】
【００４１】
【図１】この発明に係るキャビネットの第１実施形態を示す斜視図である。
【図２】この発明における引出を引き出した状態を示す斜視図である。
【図３】上記引出の一部を断面で示す斜視図（ａ）、引出の取手を示す拡大断面図（ｂ）及び取手の裏面側の一部を示す断面斜視図（ｃ）である。
【図４】この発明におけるオールロック機構を示す断面図（ａ）及びオールロック機構の係合状態を示す断面図（ｂ）である。
【図５】上記オールロック機構の解錠状態を示す概略斜視図（ａ）及び施錠状態を示す概略斜視図（ｂ）である。
【図６】この発明における書類挿入用スリットの使用状態を示す斜視図である。
【図７】この発明に係るキャビネットの第２実施形態を示す斜視図である。
【図８】第２実施形態におけるオールロック状態を示す断面図である。
【図９】第２実施形態におけるオールロック機構の要部を示す概略斜視図である。
【符号の説明】
【００４２】
１０，１０Ａ  キャビネット本体
１１  天板
１２，１２ａ，１２ｂ  書類挿入用スリット
２０  トレー（引出）
２１  見出し部
２２  前壁
２３  側壁
２４  係止溝
２５  取手
２６  ラベル挿入室（見出し片挿入室）
２６ａ  挿入口
２６ｂ  底部
２７  指掛け凹所
３０，３０Ａ  オールロック機構
３１  錠前
３２  キー
３３，３３Ａ  操作ロッド
３４  係止部材
３４ａ  係止片
５０  ラベル（見出し片）
６０  書類
【図１】
2010035959.tif 000003
【図２】
2010035959.tif 000004
【図３】
2010035959.tif 000005
【図４】
2010035959.tif 000006
【図５】
2010035959.tif 000007
【図６】
2010035959.tif 000008
【図７】
2010035959.tif 000009
【図８】
2010035959.tif 000010
【図９】
2010035959.tif 000011